(57)【特許請求の範囲】
【請求項１】
内周に突設された複数のコアのそれぞれにコイルが巻回されて構成されたステータの内側に、ロータが回転可能に配設されたブラシレスモータにおいて、
上記コアのそれぞれの間に、非磁性及び絶縁性を備えた材料から成り前記コアの基端から当該コアの先端のティースまで延び、それぞれが同一の基板に一体に構成された板状部材が、隣接する上記コアのティースの間に圧入して配置されたことを特徴とするブラシレスモータ。
【請求項２】
上記基板が、ステータのコイルに対向し且つ絶縁性を備えて構成されたことを特徴とする請求項１に記載のブラシレスモータ。
【発明の詳細な説明】
【０００１】
【発明の属する技術分野】
本発明は、ステータの構造を改良したブラシレスモータに関する。
【０００２】
【従来の技術】
空気調和装置の室外ファン及び室内ファンを駆動させる駆動源として、ブラシレスモータを用いたものがある。このブラシレスモータは、内周に突設された複数のコアのそれぞれにコイルが巻回されてステータが構成され、このステータの内側にロータが回転可能に配設されたものである。
【０００３】
【発明が解決しようとする課題】
このようなブラシレスモータでは、永久磁石からなるロータを回転させるために、ステータの各コイルに順次通電がなされる。ところが、このコイルへ流れる電流の変化によってステータのコアが振動してしまい、この振動に伴って騒音が発生する恐れがある。
【０００４】
また、ステータにおける複数のコアに巻回された隣接するコイルは、相互に良好に絶縁されている必要がある。
【０００５】
上述の事情を考慮し、請求項１または３に記載の発明の目的は、コイルが巻回されるステータのコアの振動を抑制して騒音を低減できるブラシレスモータを提供することにあり、また、請求項２または３に記載の発明の目的は、ステータの複数のコアのそれぞれに巻回される隣接するコイル同士の絶縁性を向上させることができるブラシレスモータ提供することにある。
【０００６】
【課題を解決するための手段】
請求項１に記載の発明は、内周に突設された複数のコアのそれぞれにコイルが巻回されて構成されたステータの内側に、ロータが回転可能に配設されたブラシレスモータにおいて、上記コアのそれぞれの間に、非磁性及び絶縁性を備えた材料から成り前記コアの基端から当該コアの先端のティースまで延び、それぞれが同一の基板に一体に構成された板状部材が、隣接する上記コアのティースの間に圧入して配置されたことを特徴とするものである。
【００１０】
請求項２に記載の発明は、請求項１に記載の発明において、上記基板が、ステータのコイルに対向し且つ絶縁性を備えて構成されたことを特徴とするものである。
【００１１】
請求項１に記載の発明には、次の作用がある。
【００１２】
ステータにおける隣接するコアの先端のティース間に、非磁性材料から成る板状部材が、隣接するティースに圧接して配置されたことから、コアのコイルに流れる電流の変化によってコアが振動しようとしても、隣接するコア先端のティースが板状部材により一体化されて剛性が高められるので、上記コアの振動が抑制されて、このコアの振動に伴い発生する騒音を低減できる。
【００１３】
請求項１に記載の発明には、次の作用がある。
【００１４】
隣接するコアのそれぞれに巻回されたコイル間に、非磁性及び絶縁性を備えた材料から成る板状部材が配置されたことから、この板状部材が絶縁隔壁となって、隣接するコイル同士の絶縁性を向上させることができる。
【００１５】
請求項１に記載の発明には、次の作用がある。
【００１６】
ステータにおける隣接するコアの先端のティース間、これらのコアに巻回されたコイル間に配置された複数の板状部材が基板に一体に構成されたことから、これらの板状部材を、隣接するティース間、隣接するコイル間に配置する作業を同時に実施できるので、作業性を向上させることができる。
【００１７】
請求項２に記載の発明には、次の作用がある。
【００１８】
複数の板状部材を一体化する基板が、ステータのコイルに対向し且つ絶縁性を備えて構成されたことから、ステータのコイルに近接配置された金属部材とステータのコイルとを、上記基板にて良好に絶縁することができる。
【００１９】
【発明の実施の形態】
以下、本発明の実施の形態を、図面に基づき説明する。
【００２０】
図１は、本発明に係るブラシレスモータの一実施の形態をを示す断面図である。このブラシレスモータ３０は、分離型空気調和装置の室内機や室外機（ともに図示せず）に内蔵された室内ファンや室外ファンに適用される。図１に示すように、上記ブラシレスモータ３０は、ステータ３１の内側に、永久磁石からなるロータ３２が回転可能に配設されて構成される。
【００２１】
図４に示すように、ステータ３１の内周面に複数のコア３３が突設され、これらのコア３３のそれぞれにコイル３４が巻回されてステータ３１が構成される。また、それぞれのコア３３の先端部となるティース部３５は、ロータのマグネットと対向し、このティース部３５近傍に、ロータ３２の回転位置を検出するホール素子等の回転センサ（不図示）が設置される場合もある。
【００２２】
図１に示すように、ブラシレスモータ３０は、上記回転センサや巻線の誘導電圧などにより検出されたロータ３２の回転位置に応じて、インバータ等を用い、複数のコイル３４へ順次通電することにより、磁力の作用でロータ３２を回転させる。
【００２３】
ところで、上述のようなブラシレスモータ３０のステータ３１には、ロータ３２が組み込まれる前に、図５に示す振動抑制部品３６が組み付けられる。
【００２４】
この振動抑制部品３６は、リング形状の基板３７に、複数枚の板状部材３８が、基板３７の周方向に立設して一体に構成されたものである。これらの基板３７及び板状部材３８は、非磁性及び絶縁性を備えた材料、例えば樹脂から成る。
【００２５】
振動抑制部品３６をステータ３１に組み付けたときには、図１及び図２に示すように、振動抑制部品３６の板状部材３８が、ステータ３１における隣接するコア３３の先端のティース部３５間に圧入される。このとき、振動抑制部品３６における板状部材３８の内側部分３８Ａが、ステータ３１における隣接するティース部３５に圧接されて配置され、これら隣接するティース部３５が一体化されてコア３３の剛性が高められる。また、板状部材３８の外側部分３８Ｂは、ステータ３１における隣接するコイル３４間に配置されて絶縁隔壁として機能する。
【００２６】
振動抑制部品３６がステータ３１に組み付けられたときには、図３に示すように、振動抑制部品３６の基板３７がステータ３１のコイル３４に対向して位置付けられる。これにより、ステータ３１及びロータ３２を覆う金属部材としてのブラケット３９が、ステータ３１のコイル３４に近接配置されたとき、このブラケット３９とステータ３１のコイル３４との絶縁が良好になされる。
【００２７】
従って、上記実施の形態のブラシレスモータ３０によれば、次の効果▲１▼〜▲４▼を奏する。
【００２８】
▲１▼ステータ３１における隣接するコア３３の先端部となるティース部３５間に、非磁性材料から成る振動抑制部品３６の板状部材３８の内側部分３８Ａが、隣接するティース部３５に圧接して配置されたことから、コア３３に巻回されたコイル３４に流れる電流の変化によってコア３３が振動しようとしても、隣接するコア３３のティース部３５が板状部材３８の内側部分３８Ａにより一体化されて、コア３３の剛性が高められるので、ステータ３１のコア３３の振動が抑制されて、このコア３３の振動に伴い発生する騒音を低減できる。
【００２９】
▲２▼ステータ３１における隣接するコア３３のそれぞれに巻回されコイル３４間に、非磁性及び絶縁性を備えた材料から成る振動抑制部品３６の板状部材３８の外側部分３８Ｂが配置されたことから、この板状部材３８の外側部分３８Ｂが絶縁隔壁となって、ステータ３１における隣接するコイル３４同士の絶縁性を向上させることができる。
【００３０】
▲３▼ステータ３１における隣接するコア３３の先端部となるティース部３５間、これらのコア３３に巻回されたコイル３４間に配置された振動抑制部品３６の複数の板状部材３８が基板３７に一体に構成されたことから、これらの板状部材３８を、ステータ３１の隣接するティース部３５間、隣接するコイル３４間に配置する作業を同時に実施できるので、振動抑制部品３６をステータ３１に組み付ける作業性を向上させることができる。
【００３１】
▲４▼振動抑制部品３６における複数の板状部材３８を一体化する基板３７が、ステータ３１のコイル３４に対向し且つ絶縁性を備えて構成されたことから、ステータ３１のコイル３４に近接配置されたブラケット３９とステータ３１のコイル３４とを、基板３７にて良好に絶縁することができる。
【００３２】
以上、本発明を上記実施の形態に基づいて説明したが、本発明はこれに限定されるものではない。
【００３３】
【発明の効果】
請求項１に記載の発明に係るブラシレスモータによれば、内周に突設された複数のコアのそれぞれにコイルが巻回されて構成されたステータの内側に、ロータが回転可能に配設されたブラシレスモータにおいて、隣接する上記コアの先端のティース間に、非磁性材料から成る板状部材が、隣接する上記ティースに圧接して配置されたことから、コイルが巻回されるステータのコアの振動を抑制して騒音を低減できる。
【００３４】
請求項２に記載の発明に係るブラシレスモータによれば、内周に突設された複数のコアのそれぞれにコイルが巻回されて構成されたステータの内側に、ロータが回転可能に配設されたブラシレスモータにおいて、隣接する上記コアの上記コイル間に、非磁性及び絶縁性を備えた材料から成る板状部材が配置されたことから、ステータの複数のコアのそれぞれに巻回される隣接するコイル同士の絶縁性を向上させることができる。
【００３５】
請求項３に記載の発明に係るブラシレスモータによれば、内周に突設された複数のコアのそれぞれにコイルが巻回されて構成されたステータの内側に、ロータが回転可能に配設されたブラシレスモータにおいて、隣接する上記コアの先端のティース間、及びこれらのコアのそれぞれの上記コイル間に、非磁性及び絶縁性を備えた材料から成る板状部材が、隣接する上記ティースに圧接して配置されたことから、コイルが巻回されるステータのコアの振動を抑制して騒音を低減できると共に、ステータの複数のコアのそれぞれに巻回される隣接するコイル同士の絶縁性を向上させることができる。
【図面の簡単な説明】
【図１】本発明に係るブラシレスモータの一実施の形態を示し、図３のI−I線に沿う断面図である
【図２】図１のII部を拡大して示す拡大断面図である。
【図３】図２のIII− III線に沿う断面図である。
【図４】図１のステータを示す正面図である。
【図５】図１の板状部材を備えた振動抑制部品を示し、（Ａ）がその正面図、（Ｂ）がその側面図である。
【符号の説明】
３０  ブラシレスモータ
３１  ステータ
３２  ロータ
３３  コア
３４  コイル
３５  ティース部
３６  振動抑制部品
３７  基板
３８  板状部材
３８Ａ  内側部分
３８Ｂ  外側部分
【図１】
0004693249.tif 000002
【図２】
0004693249.tif 000003
【図３】
0004693249.tif 000004
【図４】
0004693249.tif 000005
【図５】
0004693249.tif 000006